(57)【要約】【課題】見栄えをよくすることができ、訴求面を設けることができる展示兼用包装部材、展示部材を提供する。【解決手段】展示兼用包装部材１００は、最外面に配置されて箱形状に形成された外装部材１０と、外装部材１０に設けられた樹脂テープ１３ｂと、樹脂テープ１３ｂで外装部材１０を切断して除去される予定の除去予定部１１と、樹脂テープ１３ｂを挟んで除去予定部１１と反対側に設けられ、少なくとも外装部材１０の底部を構成する基礎部１２と、外装部材１０に収容されており、展示状態において除去予定部１１に沿った切断面１２ａ，１２ｂのうち、展示時に側方となる部位を覆う側方カバー部２１とを備える。【選択図】図４
2019182495.tif 000002
【特許請求の範囲】
【請求項１】
最外面に配置されて箱形状に形成された外装部材と、
前記外装部材に設けられた切断予定部と、
前記切断予定部で前記外装部材を切断して除去される予定の除去予定部と、
前記切断予定部を挟んで前記除去予定部と反対側に設けられ、前記外装部材の底部を構成する基礎部と、
前記外装部材に収容されており、展示状態において前記切断予定部に沿った切断面のうち、展示時に側方となる部位を覆う側方カバー部と、
を備える展示兼用包装部材。
【請求項２】
請求項１に記載の展示兼用包装部材において、
前記側方カバー部は、展開状態において展示時に前方となる側が後方となる側よりも高さが低くなるように形成されていること、
を特徴とする展示兼用包装部材。
【請求項３】
請求項２に記載の展示兼用包装部材において、
前記切断予定部は、前記側方カバー部の展開状態における高さに沿って前方となる側が後方となる側よりも高さが低くなるように形成されていること、
を特徴とする展示兼用包装部材。
【請求項４】
請求項１から請求項３までのいずれかに記載の展示兼用包装部材において、
前記側方カバー部と前記外装部材との間に配置されており、少なくとも前記側方カバー部よりも剛性が高く構成されている補強部材を備えること、
を特徴とする展示兼用包装部材。
【請求項５】
請求項１から請求項４までのいずれかに記載の展示兼用包装部材において、
前記外装部材は、前記側方カバー部の展開された部位の少なくとも一部が係合する係合部を備えること、
を特徴とする展示兼用包装部材。
【請求項６】
請求項１から請求項５までのいずれかに記載の展示兼用包装部材において、
前記外装部材に収容されており、展示状態において前記切断予定部に沿った切断面のうち、展示時に前方となる部位を覆う前方カバー部を備えること、
を特徴とする展示兼用包装部材。
【請求項７】
請求項６に記載の展示兼用包装部材において、
前記前方カバー部と、
互いに対向する位置に配置された一組の前記側方カバー部と、
を備えること、
を特徴とする展示兼用包装部材。
【請求項８】
請求項６又は請求項７に記載の展示兼用包装部材において、
前記前方カバー部は、包装される物品と前記外装部材の底部との間に少なくとも一部が挟まれていること、
を特徴とする展示兼用包装部材。
【請求項９】
請求項６から請求項８までのいずれかに記載の展示兼用包装部材において、
前記側方カバー部と前記前方カバー部が一体となって形成されていること、
を特徴とする展示兼用包装部材。
【請求項１０】
請求項１から請求項９までのいずれかに記載の展示兼用包装部材から前記切断予定部及び前記除去予定部を除去した形態である展示部材。
【発明の詳細な説明】
【技術分野】
【０００１】
本発明は、包装部材としての機能と、展示部材としての機能とを兼ね備える展示兼用包装部材、展示部材に関するものである。
【背景技術】
【０００２】
複数の商品を段ボール箱等で配送し、配送箱を開梱して商品を取り出し、店頭の商品棚等に置いて展示することが従来から行われている。その一方で、その労力を低減するために、段ボール箱の一部を切除して、配送用の段ボール箱の一部を残したまま、商品を展示することもある。さらに、商品の展示にも利用できる配送用の箱とし、商品等の包装と展示に兼用する箱が知られている（特許文献１参照）。
【先行技術文献】
【特許文献】
【０００３】
【特許文献１】特開２００２−９６８１９号公報
【発明の概要】
【発明が解決しようとする課題】
【０００４】
しかし、段ボール箱を商品の展示に利用する場合、段ボール箱の切断面が綺麗にならずに、見栄えがよくない場合が多かった。また、段ボール箱の表面は、配送時に汚れることも多く、その点においても見栄えがよくない場合が多かった。
さらに、商品の販売促進のため各種表示を行える訴求面を設けたいという要求も多い。
【０００５】
本発明の課題は、見栄えをよくすることができ、訴求面を設けることができる展示兼用包装部材、展示部材を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、最外面に配置されて箱形状に形成された外装部材（１０，２１０）と、前記外装部材（１０，２１０）に設けられた切断予定部（１３ｂ，２１３ｂ）と、前記切断予定部（１３ｂ，２１３ｂ）で前記外装部材（１０，２１０）を切断して除去される予定の除去予定部（１１，２１１）と、前記切断予定部（１３ｂ，２１３ｂ）を挟んで前記除去予定部（１１，２１１）と反対側に設けられ、前記外装部材（１０，２１０）の底部を構成する基礎部（１２，２１２）と、前記外装部材（１０，２１０）に収容されており、展示状態において前記切断予定部（１３ｂ，２１３ｂ）に沿った切断面（１２ａ，１２ｂ，２１２ａ，２１２ｂ）のうち、展示時に側方となる部位を覆う側方カバー部（３２１，２１）と、を備える展示兼用包装部材（１００，２００）である。
【０００８】
第２の発明は、請求項１に記載の展示兼用包装部材（１００，２００）において、前記側方カバー部（３２１，２１）は、展開状態において展示時に前方となる側が後方となる側よりも高さが低くなるように形成されていること、を特徴とする展示兼用包装部材（１００，２００）である。
【０００９】
第３の発明は、請求項２に記載の展示兼用包装部材（１００，２００）において、前記切断予定部（１３ｂ，２１３ｂ）は、前記側方カバー部（３２１，２１）の展開状態における高さに沿って前方となる側が後方となる側よりも高さが低くなるように形成されていること、を特徴とする展示兼用包装部材（１００，２００）である。
【００１０】
第４の発明は、請求項１から請求項３までのいずれかに記載の展示兼用包装部材（１００，２００）において、前記側方カバー部（３２１，２１）と前記外装部材（１０，２１０）との間に配置されており、少なくとも前記側方カバー部（３２１，２１）よりも剛性が高く構成されている補強部材（３０）を備えること、を特徴とする展示兼用包装部材（１００，２００）である。
【００１１】
第５の発明は、請求項１から請求項４までのいずれかに記載の展示兼用包装部材（１００，２００）において、前記外装部材（１０，２１０）は、前記側方カバー部（３２１，２１）の展開された部位の少なくとも一部が係合する係合部（３１２ａ）を備えること、を特徴とする展示兼用包装部材（１００，２００）である。
【００１２】
第６の発明は、請求項１から請求項５までのいずれかに記載の展示兼用包装部材（１００，２００）において、前記外装部材（１０，２１０）に収容されており、展示状態において前記切断予定部（１３ｂ，２１３ｂ）に沿った切断面（１２ａ，１２ｂ，２１２ａ，２１２ｂ）のうち、展示時に前方となる部位を覆う前方カバー部（２２）を備えること、を特徴とする展示兼用包装部材（１００，２００）である。
【００１３】
第７の発明は、請求項６に記載の展示兼用包装部材（１００，２００）において、前記前方カバー部（２２）と、互いに対向する位置に配置された一組の前記側方カバー部（３２１，２１）と、を備えること、を特徴とする展示兼用包装部材（１００，２００）である。
【００１４】
第８の発明は、請求項６又は請求項７に記載の展示兼用包装部材（１００，２００）において、前記前方カバー部（２２）は、包装される物品と前記外装部材（１０，２１０）の底部との間に少なくとも一部が挟まれていること、を特徴とする展示兼用包装部材（１００，２００）である。
【００１５】
第９の発明は、請求項６から請求項８までのいずれかに記載の展示兼用包装部材（１００，２００）において、前記側方カバー部（３２１，２１）と前記前方カバー部（２２）が一体となって形成されていること、を特徴とする展示兼用包装部材（１００，２００）である。
【００１６】
第１０の発明は、請求項１から請求項９までのいずれかに記載の展示兼用包装部材（１００，２００）から前記切断予定部（１３ｂ，２１３ｂ）及び前記除去予定部（１１，２１１）を除去した形態である展示部材である。
【発明の効果】
【００１７】
本発明によれば、見栄えをよくすることができ、訴求面を設けることができる展示兼用包装部材、展示部材を提供することができる。
【図面の簡単な説明】
【００１８】
【図１】本発明による展示兼用包装部材１００の第１実施形態の外観を示す斜視図である。
【図２】樹脂テープ（切断予定部）１３ｂで切断した後の展示兼用包装部材１００を示す斜視図である。
【図３】図２の状態から除去予定部１１を除去した状態の展示兼用包装部材１００を示す斜視図である。
【図４】図３の状態から、側方カバー部２１，前方カバー部２２，訴求面拡大部２３を展開して展示状態に変形した状態の展示兼用包装部材１００を示す斜視図である。
【図５】展示兼用包装部材１００を構成する部材を並べて示した分解斜視図である。
【図６】外装部材１０の展開図である。
【図７】側方カバー部２１の展開図である。
【図８】前方カバー部２２の展開図である。
【図９】訴求面拡大部２３の展開図である。
【図１０】底面部２４の展開図である。
【図１１】スペーサー２５の展開図である。
【図１２】補強部材３０の展開図である。
【図１３】本発明による展示兼用包装部材２００の第２実施形態の外観を示す斜視図である。
【図１４】切断帯（切断予定部）２１３ｂで切断した後の展示兼用包装部材２００を示す斜視図である。
【図１５】図１４の状態から除去予定部２１１を除去した状態の展示兼用包装部材２００を示す斜視図である。
【図１６】図１５の状態から、側方カバー部２１，前方カバー部２２，訴求面拡大部２３を展開して展示状態に変形した状態の展示兼用包装部材２００を示す斜視図である。
【図１７】外装部材２１０の展開図である。
【図１８】第３実施形態の展示兼用包装部材３００を展示状態に変形した状態を示す斜視図である。
【図１９】外装部材３１０の展開図である。
【図２０】側方カバー部３２１の展開図である。
【発明を実施するための形態】
【００１９】
以下、本発明を実施するための最良の形態について図面等を参照して説明する。
【００２０】
（第１実施形態）
図１は、本発明による展示兼用包装部材１００の第１実施形態の外観を示す斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の機能を奏し、平行や直交と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
なお、図１中に矢印で示した前後、左右、上下の各方向を用いて説明を行う。図１における前側が、展示時において前方となる。また、この左右の方向については、適宜、側方とも呼び、側方の面を側面、下方の面を底面、後側の面を背面等とも呼ぶ。
【００２１】
第１実施形態の展示兼用包装部材１００は、開封される前は、外装部材１０に６面が覆われた直方体形状となっており、図１に示すように各フラップが接着剤等により閉じられた状態となっている。
外装部材１０は、段ボール箱であり、外装部材１０の前面には、切断開始端部１３ａが設けられている。切断開始端部１３ａには、外装部材１０の内部に設けられた切断予定部としての樹脂テープ１３ｂ（テープシール）が繋がっている。第１実施形態では、樹脂テープ１３ｂは、外装部材１０の正面と、両側面と、背面との、中央よりも下方の位置にあって、底面と平行に設けられている。この切断開始端部１３ａをつまんで引っ張ることにより、樹脂テープ１３ｂに沿って外装部材１０を上下２つの部分に分離するように切断できる。
【００２２】
図２は、樹脂テープ（切断予定部）１３ｂで切断した後の展示兼用包装部材１００を示す斜視図である。
樹脂テープ（切断予定部）１３ｂで切断されると、外装部材１０は、除去予定部１１と、基礎部１２とに分離される。
除去予定部１１は、樹脂テープ１３ｂで外装部材１０を切断して除去される予定の部分であって、外装部材１０の樹脂テープ１３ｂよりも上側に構成されている。
基礎部１２は、樹脂テープ１３ｂを挟んで除去予定部１１と反対側である下側に設けられ、外装部材１０の底部を含んでいる。
【００２３】
図３は、図２の状態から除去予定部１１を除去した状態の展示兼用包装部材１００を示す斜視図である。
図４は、図３の状態から、側方カバー部２１，前方カバー部２２，訴求面拡大部２３を展開して展示状態に変形した状態の展示兼用包装部材１００を示す斜視図である。
図４に示すように、除去予定部１１を除去し、側方カバー部２１，前方カバー部２２，訴求面拡大部２３を展開することにより、展示状態とすることができる。
図５は、展示兼用包装部材１００を構成する部材を並べて示した分解斜視図である。
除去予定部１１を除去すると、外装部材１０内に収容されていた側方カバー部２１，前方カバー部２２，訴求面拡大部２３と、スペーサー２５と、補強部材３０とが現われる。なお、展示兼用包装部材１００は、商品等の物品を包装し、かつ、展示を行うものであり、本来は、側方カバー部２１，前方カバー部２２，訴求面拡大部２３，底面部２４よりもさらに内部に商品等の物品が収められている。しかし、ここでは、展示兼用包装部材１００を見やすくするために、物品は省略している。
【００２４】
以下、展示兼用包装部材１００を構成する各部材について、展開図を示して、より詳しく説明する。
図６は、外装部材１０の展開図である。
外装部材１０は、１枚の段ボールを折曲げて、糊代部１４を他端に接合し、各フラップを折曲げて蓋をすることにより内容物を包装可能である。外装部材１０には、先に説明したように、樹脂テープ１３ｂ（テープシール）が繋がっている切断開始端部１３ａが設けられている。
【００２５】
図７は、側方カバー部２１の展開図である。
側方カバー部２１は、外装部材１０の背面と両側面とに沿って配置される。側方カバー部２１は、外装部材１０よりも厚さの薄い厚紙等の板状、シート状、又は、フィルム状の部材により構成されている。側方カバー部２１は、背面部２１ａと、側面部２１ｂと、側面フラップ２１ｃと、背面フラップ２１ｄとを備えている。
【００２６】
背面部２１ａは、外装部材１０の背面に沿って配置されている。背面部２１ａの両側には、側面部２１ｂが繋がっている。また、背面部２１ａの上方には、背面フラップ２１ｄが繋がっている。この背面フラップ２１ｄは、背面部２１ａとの境界において折り返されて、背面部２１ａと外装部材１０との間に挟まれて配置される。
【００２７】
側面部２１ｂは、外装部材１０の両側面に沿って配置されている。側面部２１ｂの上方には、側面フラップ２１ｃが繋がっている。
側面フラップ２１ｃは、外装部材１０が開封されるまでは、折曲げ線を延ばした状態で収められており、側面部２１ｂと略同一面を構成する向きに配置されている（図３，図７参照）。なお、側面フラップ２１ｃの端部２１ｆ，２１ｇをさらに折曲げることができるように折り曲げ線２１ｈ，２１ｉが設けられている。この折り曲げ線２１ｈ，２１ｉで端部２１ｆ，２１ｇをさらに折曲げることにより、側面フラップ２１ｃを大きく構成しても、外装部材１０内に収めることが可能となる（図３参照）。側面フラップ２１ｃは、物品の展示を行うときには、外側に向けて折り返されて展開される（図４参照）。これにより、外装部材１０の側面の切断面１２ａと、補強部材３０の端面３０ｃとを隠すことができる。外装部材１０と補強部材３０とは、段ボールを素材としていることから、特に端面３０ｃや切断面１２ａについては、見栄えがよくない。側面フラップ２１ｃを展開することにより、見栄えの悪い部分を隠すことができるだけでなく、側面フラップ２１ｃに商品の宣伝等を印刷しておくこともできる。
また、側面部２１ｂは、側面フラップ２１ｃを展開した展開状態において前方が後方よりも高さが低くなるように形成されている。このような構成により、前方においては、収容されている物品が露出する面を大きくすることができる。よって、物品を見やすくでき、かつ、取り出しやすくすることができる。
【００２８】
図８は、前方カバー部２２の展開図である。
前方カバー部２２は、外装部材１０の底面と前面とに沿って配置される。前方カバー部２２は、側方カバー部２１と同様な素材により構成されている。前方カバー部２２は、底部２２ａと、前部２２ｂと、前部フラップ２２ｃとを備えている。
底部２２ａは、外装部材１０の底面に沿って配置されている。より具体的には、底部２２ａは、外装部材１０の底面と、物品及び底面部２４とに挟まれて配置されている。
前部２２ｂは、外装部材１０の前面に沿って配置されている。
前部フラップ２２ｃは、外装部材１０内に収容されている状態では、外装部材１０の前面に沿って配置されており、展示を行うときには、前方へ展開されて、外装部材１０の切断面１２ｂを隠す。
【００２９】
図９は、訴求面拡大部２３の展開図である。
訴求面拡大部２３は、側方カバー部２１の背面部２１ａの上端に接続されている。訴求面拡大部２３は、側方カバー部２１と同様な素材により構成されている。訴求面拡大部２３は、係合部２３ａが背面部２１ａのスリット２１ｅに挿入されている。訴求面拡大部２３は、収容時には、折曲げられて外装部材１０の上面に沿って配置されている。また、訴求面拡大部２３は、展示を行うときには、背面部２１ａと平行に立てられて、さらに、挿入部２３ｂがスリット２１ｅに挿入されて、背面部２１ａと平行に立てられた状態を維持する。訴求面拡大部２３は、比較的大きな面積を有しているので、より多くの情報を印刷等することができる。
【００３０】
図１０は、底面部２４の展開図である。
底面部２４は、外装部材１０の底面に沿って配置されており、底面部２４の上に、物品が配置されることとなる。底面部２４は、側方カバー部２１と同様な素材により構成されている。また、本実施形態の底面部２４では、後述のスペーサー２５の形状に合わせた凹形状２４ａが形成されている。
【００３１】
図１１は、スペーサー２５の展開図である。
スペーサー２５は、図１１に示す２つの部品を組み立てて構成されている。なお、このスペーサー２５の形状は、内容物の形状に合わせて、適宜変更するとよい。また、スペーサー２５の形状を変更した場合には、上述の底面部２４の形状も併せて変更するとよい。
【００３２】
図１２は、補強部材３０の展開図である。
補強部材３０は、外装部材１０と同様に段ボールにより構成されており、側方カバー部２１を構成する材料よりも剛性が高くなっている。補強部材３０は、側方カバー部２１と外装部材１０との間に配置されている。補強部材３０は、背面部３０ａと、側面部３０ｂとを備えている。
背面部３０ａは、外装部材１０の背面に沿って配置されている。側面部３０ｂは、外装部材１０の両側面に沿って配置されている。背面部３０ａ及び側面部３０ｂの上端の高さは、側方カバー部２１の背面部２１ａ及び側面部２１ｂの高さよりも僅かに低く設定されている。したがって、補強部材３０は、側方カバー部２１の側面フラップ２１ｃ及び背面フラップ２１ｄの展開を妨げない。
側方カバー部２１は、店頭等において、店員等が折曲げて展開する作業を行うことが想定されるので、硬く折曲げにくい素材とすることは望ましくない。補強部材３０を設けることにより、側方カバー部２１を薄く比較的剛性の低い素材によって構成することが可能となる。
【００３３】
以上説明したように、第１実施形態の展示兼用包装部材１００によれば、配送された状態から僅かな作業だけで見栄えのよい展示を行える。特に、段ボールの端面を覆うように側方カバー部２１及び前方カバー部２２が展開可能であるので、外装部材１０の段ボールを有効に利用しながら、見栄えのよい展示を行うことができる。また、外装部材１０が配送時に汚れたり、一部破損したりしても、側方カバー部２１，前方カバー部２２，訴求面拡大部２３，底面部２４がこれを隠すので、そのまま展示に利用しても、見栄えのよい展示を行える。
また、側方カバー部２１，前方カバー部２２，訴求面拡大部２３，底面部２４には、商品説明等、各種印刷を行うことができ、訴求面を大きくすることができる。特に、側方カバー部２１，前方カバー部２２，訴求面拡大部２３，底面部２４は、段ボールを用いずに、厚紙により構成することから、より美しく意匠性の高い訴求面とすることができる。
【００３４】
（第２実施形態）
図１３は、本発明による展示兼用包装部材２００の第２実施形態の外観を示す斜視図である。
図１４は、切断帯（切断予定部）２１３ｂで切断した後の展示兼用包装部材２００を示す斜視図である。
図１５は、図１４の状態から除去予定部２１１を除去した状態の展示兼用包装部材２００を示す斜視図である。
図１６は、図１５の状態から、側方カバー部２１，前方カバー部２２，訴求面拡大部２３を展開して展示状態に変形した状態の展示兼用包装部材２００を示す斜視図である。
図１７は、外装部材２１０の展開図である。
第２実施形態の展示兼用包装部材２００は、外装部材２１０の形態が第１実施形態の外装部材１０と異なる点と、補強部材３０を備えない点が第１実施形態と異なるが、他の部分については、第１実施形態と同様である。よって、前述した第１実施形態と同様の機能を果たす部分には、同一の符号を付して、重複する説明を適宜省略する。
【００３５】
第２実施形態の外装部材２１０は、図１３に示すように切断帯２１３ｂを境にして、上方の除去予定部２１１と下方の基礎部２１２とを備えている。
切断帯（切断予定部）２１３ｂは、切除される帯状の領域であって、切除を容易に行えるように両側に切り込み形状が途切れ途切れに連なって設けられている。また、外装部材２１０の前面の切断帯２１３の端部に繋がって切断開始端部２１３ａが設けられている。第２実施形態の外装部材２１０は、第１実施形態の外装部材１０とは異なり、樹脂テープを備えておらず、代わりに、切断帯２１３により切断可能となっている。また、第２実施形態の切断帯２１３ｂは、側面においては、前方が後方よりも高さが低くなるように形成されている。よって、切断帯２１３ｂを切除した後、除去予定部２１１を除去すると、図１５に示すように、基礎部２１２は、その側面について前方が後方よりも高さが低くなる。よって、第１実施形態の補強部材３０に相当する部材を設けることなく、第１実施形態と同様な強度を確保できる。
なお、切断帯２１３ｂを切除した後の切断面２１２ａ，２１２ｂは、第１実施形態と同様に側方カバー部２１，前方カバー部２２によって覆われて、目立たなくなる。
【００３６】
以上説明したように、第２実施形態の展示兼用包装部材２００によれば、補強部材３０を省略できるので、より安価に第１実施形態と同様な効果を得ることができる。
【００３７】
なお、第２実施形態では、切断帯２１３ｂが設けられている範囲が第１実施形態よりも広くなるので、外装部材１０の強度の面では、第１実施形態の方が優れている。よって、第１実施形態の展示兼用包装部材１００と第２実施形態の展示兼用包装部材２００は、用途に合わせて適宜用いる形態を選択するとよい。
【００３８】
（第３実施形態）
図１８は、第３実施形態の展示兼用包装部材３００を展示状態に変形した状態を示す斜視図である。
図１９は、外装部材３１０の展開図である。
図２０は、側方カバー部３２１の展開図である。
第３実施形態の展示兼用包装部材３００は、外装部材３１０の形態が第１実施形態の外装部材１０と異なる点と、側方カバー部３２１の形態が一部異なる点が第２実施形態と異なるが、他の部分については、第２実施形態と同様である。よって、前述した第２実施形態と同様の機能を果たす部分には、同一の符号を付して、重複する説明を適宜省略する。なお、第３実施形態の展示兼用包装部材３００の開梱前の形態は、第２実施形態の展示兼用包装部材２００と同様であるので、図示は省略した。
【００３９】
第３実施形態の外装部材３１０は、第２実施形態の外装部材２１０と同様に、切断開始端部３１３ａ及び切断帯３１３ｂを有しており、切断帯３１３ｂを境にして、上方の除去予定部３１１と下方の基礎部３１２とを備えている。
また、第３実施形態の外装部材３１０は、側方カバー部３２１の展開された部位に設けられた突起部３２１ｊが係合する係合部３１２ａを備えている。この係合部３１２ａは、底面に沿って延在する溝状に形成されており、左右の側面のそれぞれに２箇所ずつ設けられている。
【００４０】
第３実施形態の側方カバー部３２１は、突起部３２１ｊを備えている点で、第１実施形態及び第２実施形態の側方カバー部２１と異なっている。この突起部３２１ｊは、外装部材３１０の係合部３１２ａと対応して左右の側面フラップ３２１ｃそれぞれに２箇所ずつ設けられている。
また、第３実施形態の側面フラップ３２１ｃは、展開時に基礎部３１２の側面を覆うことができるように面積が拡大されている。
展示状態において、突起部３２１ｊは、係合部３１２ａに差し込まれて係合する。これにより、側面フラップ３２１ｃは、外装部材３１０の下方の基礎部３１２を略覆い隠すことができる。
また、第３実施形態の側方カバー部３２１は、下方に折り返し片３２１ｋをさらに備えている。この折り返し片３２１ｋを備えることにより、第３実施形態の側方カバー部３２１は、より安定して展示状態を維持することができる。
側方カバー部３２１の他の部分、すなわち、背面部３２１ａと、側面部３２１ｂと、背面フラップ３２１ｄと、端部３２１ｆ，３２１ｇ及び折り曲げ線３２１ｈ，３２１ｉについては、第１実施形態及び第２実施形態の側方カバー部２１と同様である。
【００４１】
なお、第３実施形態では、前方カバー部２２については、第１実施形態及び第２実施形態と同様に外装部材３１０と係合していない形態とした。しかし、例えば、前方カバー部２２についても、上記側方カバー部３２１と同様に外装部材３１０と係合させてもよい。
また、側方カバー部３２１と外装部材３０１との係合の位置や係合形態は、適宜変更可能である。
【００４２】
以上説明したように、第３実施形態によれば、側方カバー部３２１と外装部材３１０とを係合させたので、展開状態における側方カバー部３２１の形態を安定して保持することができる。また、外装部材３１０の側面を略覆い隠すことができ、外装部材３１０を化粧した状態とすることができ、さらに意匠性の高い展示が可能となる。
【００４３】
（変形形態）
以上説明した実施形態に限定されることなく、種々の変形や変更が可能であって、それらも本発明の範囲内である。
【００４４】
（１）第１実施形態において、切断予定部として樹脂テープ１３ｂ（テープシール）を備え、第２実施形態において、切断予定部として切断帯２１３ｂを備える例を挙げて説明した。これに限らず、例えば、第１実施形態に切断帯を設けてもよいし、第２実施形態においてテープシールを備えてもよいし、ミシン目等、他の形態の切断予定部を構成してもよい。
【００４５】
（２）各実施形態において、側方カバー部と前方カバー部とを複数の部材に分けて構成した例を挙げて説明した。これに限らず、例えば、これらのうちのいくつか、又は、全てを一体化して構成してもよい。また、側方カバー部と前方カバー部及びスペーサーの形態は一例に過ぎず、内部に収める物品の形態に応じて適宜変更可能である。
【００４６】
（３）各実施形態において、側方カバー部及び前方カバー部を厚紙で構成した例を挙げて説明した。これに限らず、例えば、樹脂シート（樹脂板、樹脂フィルム）を用いて側方カバー部及び前方カバー部を構成してもよいし、その他の材料を用いて側方カバー部及び前方カバー部を構成してもよい。
【００４７】
（４）各実施形態において、前方カバー部は、展開した端部を固定せずに自由端としてある例を挙げて説明した。これに限らず、例えば、展開した側方カバー部及び前方カバー部の端部に係合部を設け、この係合部を外装部材に設けた係合部と係合させることにより、側方カバー部及び前方カバー部の展開状態を保持するようにしてもよい。
【００４８】
なお、各実施形態及び変形形態は、適宜組み合わせて用いることもできるが、詳細な説明は省略する。また、本発明は以上説明した各実施形態によって限定されることはない。
【符号の説明】
【００４９】
１０    外装部材
１３ａ  切断開始端部
１３ｂ  樹脂テープ（切断予定部）
１４    糊代部
１１    除去予定部
１２    基礎部
２１    側方カバー部
２１ａ  背面部
２１ｂ  側面部
２１ｃ  側面フラップ
２１ｄ  背面フラップ
２１ｅ  スリット
２１ｆ  端部
２１ｇ  端部
２１ｈ  折り曲げ線
２１ｉ  折り曲げ線
２２    前方カバー部
２２ａ  底部
２２ｂ  前部
２２ｃ  前部フラップ
２３    訴求面拡大部
２３ａ  係合部
２３ｂ  挿入部
２４    底面部
２４ａ  凹形状
２５    スペーサー
３０    補強部材
３０ａ  背面部
３０ｂ  側面部
１００  展示兼用包装部材
２００  展示兼用包装部材
２１０  外装部材
２１１  除去予定部
２１２  基礎部
２１３ａ  切断開始端部
２１３ｂ  切断帯（切断予定部）
３００  展示兼用包装部材
３１０  外装部材
３１１  除去予定部
３１２  基礎部
３１２ａ  係合部
３１３ａ  切断開始端部
３１３ｂ  切断帯（切断予定部）
３２１  側方カバー部
３２１ａ  背面部
３２１ｂ  側面部
３２１ｃ  側面フラップ
３２１ｄ  背面フラップ
３２１ｆ  端部
３２１ｇ  端部
３２１ｈ  曲げ線
３２１ｉ  曲げ線
３２１ｊ  突起部
３２１ｋ  折り返し片
【図１】
2019182495.tif 000003
【図２】
2019182495.tif 000004
【図３】
2019182495.tif 000005
【図４】
2019182495.tif 000006
【図５】
2019182495.tif 000007
【図６】
2019182495.tif 000008
【図７】
2019182495.tif 000009
【図８】
2019182495.tif 000010
【図９】
2019182495.tif 000011
【図１０】
2019182495.tif 000012
【図１１】
2019182495.tif 000013
【図１２】
2019182495.tif 000014
【図１３】
2019182495.tif 000015
【図１４】
2019182495.tif 000016
【図１５】
2019182495.tif 000017
【図１６】
2019182495.tif 000018
【図１７】
2019182495.tif 000019
【図１８】
2019182495.tif 000020
【図１９】
2019182495.tif 000021
【図２０】
2019182495.tif 000022